(57)【要約】【課題】多量の書類を綴じ込んでも確実に保持できる強度を備えつつ、軽くて取り扱いやすく、廃棄も容易なものとする。【解決手段】一対の表紙部２を背部３を介して連設したファイル本体１に、綴じ具１１で書類を綴じ込むファイルにおいて、前記ファイル本体１を、段ボールに罫線９ａ，９ｂを入れて折り曲げることにより、背部３とその両側の表紙部２との間に、一対の保持板部５を貼り合わせた二重構造の綴じ具保持部４を有する形態とし、また、ファイル本体１の一対の表紙部２を、外表紙部７と内表紙部８とを貼り合わせた二重構造とする。さらに、ファイル本体１の材料として、表面側のみ白色の段ボールを使用する。多量の書類Ｄを綴じ込んで持ち運ぶ際、書類Ｄが綴じ具保持部４で挟持され、綴じ具１１を保持する綴じ穴１０の周縁等が裂けることがなく、書類Ｄの脱落を確実に防止することができる。【選択図】図１
0003161934.tif 000002
【実用新案登録請求の範囲】
【請求項１】
一対の表紙部(2)を背部(3)を介して連設したファイル本体(1)に、綴じ具(11)で書類を綴じ込むファイルにおいて、前記ファイル本体(1)を、段ボールに罫線(9a,9b)を入れて折り曲げることにより、背部(3)とその両側の表紙部(2)との間に、一対の保持板部(5)を貼り合わせた二重構造の綴じ具保持部(4)を有する形態としたことを特徴とするファイル。
【請求項２】
請求項１に記載のファイルにおいて、前記ファイル本体(1)の一対の表紙部(2)を、外表紙部(7)と内表紙部(8)とを貼り合わせた二重構造とし、ファイル本体(1)の材料として、表面側のみ白色の段ボールを使用したことを特徴とするファイル。
【考案の詳細な説明】
【技術分野】
【０００１】
この考案は、多量の書類の綴じ込みに適した段ボール製ファイルに関するものである。
【背景技術】
【０００２】
一般に、厚さ１〜２ｃｍ程度の少量の書類を綴じる際には、フラットファイルと呼ばれる薄型のファイルが多用される。図６に示すように、このファイルを構成するファイル本体５１は、板紙に罫線を入れて折り曲げることにより、一対の表紙部５２及び背部５３を形成すると共に、一方の表紙部５２と背部５３との間に折り重ねによる二重構造の綴じ具保持部５４を形成したものとされている。
【０００３】
このファイル本体５１の綴じ具保持部５４には、綴じ具５５として、可撓性を有する帯状のプラスチックから成る２本の綴じ足５６と、プラスチック又は金属から成る剛体の押え板５７とが備えられ、押え板５７には、２個の穴及びスライダ５８が設けられている。
【０００４】
そして、このファイルの使用に際しては、綴じ足５６を、書類に開けた２個の穴に挿通し、さらに、押え板５７の２個の穴に挿通して、スライダ５８をスライドさせ、綴じ足５６の先端側部分を折り曲げると、書類が綴じ込まれた状態に保持される。
【０００５】
ところが、厚さ３ｃｍ以上となるような多量の書類を綴じる際には、上記のようなファイルでは、書類の保持強度が不足することから、図７に示すような、パイプ式のファイルが多用される。このファイルを構成するファイル本体６１は、積層構造の合紙をポリプロピレン等の樹脂フィルムで被覆した台紙から成り、台紙に罫線を入れて折り曲げることにより、一対の表紙部６２及び背部６３を形成したものとされている。
【０００６】
このファイル本体６１の背部６３には、金属製の綴じ具６４が取り付けられ、綴じ具６４は、背部６３に固定された蝶番構造のベース部材６５と、これに対して着脱されるホルダ部材６６とから成り、ベース部材６５は２本の外パイプ６７を、ホルダ部材６６は２本の内パイプ６８をそれぞれ備えている。
【０００７】
そして、このファイルの使用に際しては、綴じ具６４の外パイプ６７を、書類に開けた２つの穴に挿通し、外パイプ６７に内パイプ６８を挿入した後、ベース部材６５の蝶番を動かしてベース部材６５とホルダ部材６６の頭部同士を係合させると、書類が綴じ込まれた状態に保持される。このようなパイプ式のファイルは、下記特許文献１において、一般的に使用されているファイルとして記載されている。
【先行技術文献】
【特許文献】
【０００８】
【特許文献１】特許第４３３２０９３号公報（段落［００５５］、図６）
【考案の概要】
【考案が解決しようとする課題】
【０００９】
しかしながら、上記のようなパイプ式のファイルは、重くて取り扱いにくく、また、ファイル本体の表面に文字を書き込みにくいという問題があるほか、廃棄する際には、不燃物として処分しなければならないという問題がある。
【００１０】
そこで、この考案は、多量の書類を綴じ込んでも確実に保持できる強度を備えつつ、軽くて取り扱いやすく、廃棄も容易なものとすることを課題とする。
【課題を解決するための手段】
【００１１】
上記課題を解決するため、この考案は、一対の表紙部を背部を介して連設したファイル本体に、綴じ具で書類を綴じ込むファイルにおいて、前記ファイル本体を、段ボールに罫線を入れて折り曲げることにより、背部とその両側の表紙部との間に、一対の保持板部を貼り合わせた二重構造の綴じ具保持部を有する形態としたのである。また、ファイル本体の一対の表紙部を、外表紙部と内表紙部とを貼り合わせた二重構造とし、ファイル本体の材料として、表面側のみ白色の段ボールを使用したのである。
【考案の効果】
【００１２】
この考案に係るファイルでは、ファイル本体の材料として強度に優れる段ボールを使用し、背部とその両側の表紙部との間に二重構造の綴じ具保持部を形成したので、多量の書類を綴じ込んで持ち運ぶ際、書類が綴じ具保持部で挟持され、綴じ具を保持する穴や取付部が裂けることがなく、書類の脱落を確実に防止することができる。
【００１３】
また、軽くて取り扱いやすいものとなり、表紙部を二重構造としたことにより、表紙部の隅が曲がりにくくなり、耐久性に優れたものとなる。
【００１４】
また、綴じ具保持部の頂部が段ボールの折り曲げにより丸くなっているので、段ボールの端縁で手を切ることもない。
【００１５】
さらに、樹脂フィルムによる補強が不要となるので、表紙部や背部の表面に文字を水性のサインペン等で容易に書き込むことができ、表面側のみ白色の段ボールを使用することにより、コストを抑制しつつ、美粧性を確保することができる。
【図面の簡単な説明】
【００１６】
【図１】この考案に係るファイルの書類の綴じ込み状態を示す斜視図
【図２】同上の表紙部を閉じた状態を示す背部側からの斜視図
【図３】同上のファイル本体のブランクを示す裏面図
【図４】同上の貼合状態を示す斜視図
【図５】同上の書類の綴じ込み過程を示す斜視図
【図６】従来のフラットファイルを示す斜視図
【図７】従来のパイプ式ファイルを示す斜視図
【考案を実施するための形態】
【００１７】
以下、この考案の実施形態を添付図面に基づいて説明する。
【００１８】
図１及び図２に示すように、このファイルは、ファイル本体１に綴じ具１１で書類Ｄを綴じ込むものであり、ファイル本体１は、表面側のみ白色の段ボールを材料として、一対の表紙部２を背部３を介して連設し、背部３とその両側の表紙部２との間に、綴じ具保持部４を有する形態とされている。
【００１９】
図３に示すように、ファイル本体１のブランクでは、段目を横方向に向け、背部３を中央として、その両側に綴じ具保持部４を構成する一対の保持板部５、額縁部６並びに表紙部２を構成する外表紙部７及び内表紙部８が段ボールの裏面側から入れた罫線９ａを介して順次連設されている。
【００２０】
また、一対の保持板部５の境界には、段ボールの表面側から逆折り用の罫線９ｂが入れられ、これら一対の保持板部５には、罫線９ｂを軸として対称な位置に、綴じ穴１０が２個ずつ設けられている。
【００２１】
このようなブランクからファイル本体１を形成するには、図４に示すように、ブランクの段ボールを罫線９ａ，９ｂに沿って折り曲げ、一対の保持板部５を貼り合わせて、綴じ具保持部４を二重構造とし、また、外表紙部７と内表紙部８とを貼り合わせて、表紙部２を二重構造とする。
【００２２】
このとき、罫線９ａでは、段ボールを通常どおり表面側が山となる方向へ折り曲げ、罫線９ｂでは、段ボールを通常とは逆の表面側が谷となる方向へ折り曲げる。
【００２３】
上記ファイル本体１には、図５に示すように、綴じ具１１として、基端部が一方の綴じ具保持部４の綴じ穴１０に挿通されて抜け止めされた可撓性を有する帯状プラスチックから成る２本の綴じ足１２と、プラスチック又は金属から成る剛体の押え板１３とが備えられ、押え板１３には、２個の穴及びスライダ１４が設けられている。
【００２４】
そして、このファイルの使用に際しては、綴じ足１２を、書類Ｄに開けた２個の穴に挿通し、一方の綴じ具保持部４を伏倒させつつ、その上に書類Ｄを載せる。
【００２５】
その後、図１に示すように、背部３を起こして、綴じ足１２を他方の綴じ具保持部４の綴じ穴１０及び押え板１３の穴に挿通し、スライダ１４をスライドさせ、綴じ足１２の先端側部分を折り曲げると、書類Ｄが綴じ込まれた状態に保持される。
【００２６】
上記のようなファイルでは、ファイル本体１の材料として、単層の板紙よりも強度に優れる段ボールを使用し、背部３とその両側の表紙部２との間に二重構造の綴じ具保持部４を形成したので、多量の書類Ｄを綴じ込んで持ち運ぶ際、書類Ｄが綴じ具保持部４で挟持され、綴じ具１１を保持する綴じ穴１０の周縁等が裂けることがなく、書類Ｄの脱落を確実に防止することができる。
【００２７】
また、段ボールは合紙よりも単位面積当たりの重量が軽いので、ファイル本体１が軽くて取り扱いやすいものとなり、表紙部２を二重構造としたことにより、表紙部２の隅が曲がりにくくなり、耐久性に優れたものとなる。
【００２８】
また、綴じ具保持部４の頂部が罫線９ｂでの段ボールの折り曲げにより丸くなっているので、段ボールの端縁で手を切ることもない。
【００２９】
さらに、樹脂フィルムによる補強が不要となるので、表紙部２や背部３の表面に文字を水性のサインペン等で容易に書き込むことができ、表面側のみ白色の段ボールを使用することにより、コストを抑制しつつ、美粧性を確保することができる。
【００３０】
なお、上記実施形態では、綴じ具１１として、帯状の綴じ足１２と押え板１３とを備えたものを例示したが、このような綴じ具１１に替えて、綴じ紐を使用してもよい。
【００３１】
また、綴じ具保持部４の保持板部５にそれぞれ２個の綴じ穴１０を設けたものを例示したが、さらに多数の綴じ穴１０を設けてもよく、パイプ式綴じ具を綴じ具保持部４の内面に取り付ける場合には、綴じ穴１０を省略してもよい。
【符号の説明】
【００３２】
１  ファイル本体
２  表紙部
３  背部
４  綴じ具保持部
５  保持板部
６  額縁部
７  外表紙部
８  内表紙部
９ａ，９ｂ  罫線
１０  綴じ穴
１１  綴じ具
１２  綴じ足
１３  押え板
１４  スライダ
Ｄ  書類
【図１】
0003161934.tif 000003
【図２】
0003161934.tif 000004
【図３】
0003161934.tif 000005
【図４】
0003161934.tif 000006
【図５】
0003161934.tif 000007
【図６】
0003161934.tif 000008
【図７】
0003161934.tif 000009